(57)【要約】無線通信におけるアンテナをサウンディングすることを容易にする方法および装置が提供される。一態様では、無線通信のための方法は、復調基準信号を送信するために予約される少なくとも１つのリソースを決定することと、少なくとも１つのリソース上でサウンディング基準信号を送信することとを含む。別の態様では、無線通信のための方法は、マルチプルアンテナポートをサウンディングすることに関連するパラメータをシグナリングすることと、マルチプルアンテナポートにわたってデバイスから信号を受信することと、信号からプレコーディングを除くことによって少なくとも部分的に信号に関連するチャネルを推定することとを含む。【選択図】図４
2013534070.tif 000002
【特許請求の範囲】
【請求項１】
無線通信のための方法であって、
復調基準信号（ＤＭ−ＲＳ）を送信するために予約される少なくとも１つのリソースを決定することと、
前記少なくとも１つのリソース上にわたってサウンディング基準信号（ＳＲＳ）を送信することと
を備える、方法。
【請求項２】
前記少なくとも１つのリソースは、異なるデバイスによって前記ＤＭ−ＲＳを送信するために予約される、
請求項１に記載の方法。
【請求項３】
前記少なくとも１つのリソースを決定することは、プレコーダ拡張を決定することを含み、
前記方法は、前記ＳＲＳが１つまたは複数のアンテナポートにわたって送信されることをもたらす前記ＤＭ−ＲＳに前記プレコーダ拡張を適用することをさらに含む、
請求項１に記載の方法。
【請求項４】
前記ＳＲＳについてのサイクリックシフトを決定することをさらに含み、前記サイクリックシフトは、前記ＤＭ−ＲＳについての別のサイクリックシフトとは異なる、
請求項１に記載の方法。
【請求項５】
前記ＳＲＳについての第１の周波数範囲は、前記ＤＭ−ＲＳについての第２の周波数範囲と同じである、
請求項４に記載の方法。
【請求項６】
前記ＳＲＳについての第１の直交カバーコード（ＯＣＣ）を決定することをさらに含み、前記第１のＯＣＣは、前記ＤＭ−ＲＳについての第２のＯＣＣとは異なる、
請求項１に記載の方法。
【請求項７】
利用可能なアンテナポートの数と等しくなるように送信するための複数のＳＲＳを選択することをさらに含み、前記ＳＲＳを送信することは、前記複数のＳＲＳを送信することを含む、
請求項１に記載の方法。
【請求項８】
アンテナポートの数に少なくとも部分的に基づいて送信するための複数のＳＲＳを選択することをさらに含む、
請求項１に記載の方法。
【請求項９】
前記送信するための前記複数のＳＲＳを選択することは、利用可能なアンテナポートの数より少ないように前記複数のＳＲＳを選択することを含む、
請求項８に記載の方法。
【請求項１０】
前記送信するための前記複数のＳＲＳを選択することは、前記ＤＭ−ＲＳを送信するために使用されるプレコードされたレイヤの数よりも少ない前記利用可能なアンテナポートの数と等しくなるように前記複数のＳＲＳを選択することを含む、
請求項９に記載の方法。
【請求項１１】
マルチプルアンテナをサウンディングすることに関連する１つまたは複数のパラメータを受信することをさらに含み、
前記少なくとも１つのリソースを決定することは、前記１つまたは複数のパラメータに少なくとも部分的に基づいている、
請求項１に記載の方法。
【請求項１２】
前記１つまたは複数のパラメータを受信することは、サウンディングするためのプレコーダまたはアンテナポート選択、１つまたは複数のサイクリックシフトへの前記プレコーダのマッピング、前記プレコーダを使用するための周期性、１つまたは複数のサブフレームへの前記プレコーダのマッピング、および、前記プレコーダを使用する間の電力オフセット、のうちの１つを受信することを含み、
前記少なくとも１つのリソースを決定することは、前記１つまたは複数のパラメータにしたがって前記ＳＲＳをプレコードすることを含む、
請求項１１に記載の方法。
【請求項１３】
無線通信のための装置であって、
復調基準信号（ＤＭ−ＲＳ）を送信するために予約される少なくとも１つのリソースを決定するための手段と、
前記少なくとも１つのリソースにわたってサウンディング基準信号（ＳＲＳ）を送信するための手段と
を備える、装置。
【請求項１４】
前記少なくとも１つのリソースは、異なるデバイスによって前記ＤＭ−ＲＳを送信するために予約される、
請求項１３に記載の装置。
【請求項１５】
前記少なくとも１つのリソースを決定するための手段は、プレコーダ拡張を決定するための手段を含み、
前記装置は、前記ＳＲＳが１つまたは複数のアンテナポートにわたって送信されることをもたらす前記ＤＭ−ＲＳに前記プレコーダ拡張を適用するための手段をさらに含む、
請求項１３に記載の装置。
【請求項１６】
前記ＳＲＳについてのサイクリックシフトを決定するための手段をさらに含み、前記サイクリックシフトは、前記ＤＭ−ＲＳについての別のサイクリックシフトとは異なる、
請求項１３に記載の装置。
【請求項１７】
前記ＳＲＳについての周波数範囲は、前記ＤＭ−ＲＳについての前記周波数範囲と同じである、
請求項１６に記載の装置。
【請求項１８】
前記ＳＲＳについての直交カバーコード（ＯＣＣ）を決定するための手段をさらに含み、前記ＯＣＣは、前記ＤＭ−ＲＳについての第２のＯＣＣとは異なる、
請求項１３に記載の装置。
【請求項１９】
利用可能なアンテナポートの数と等しくなるように送信するための複数のＳＲＳを選択するための手段をさらに含み、
前記送信するための手段は、前記複数のＳＲＳを送信するための手段を含む、
請求項１３に記載の装置。
【請求項２０】
アンテナポートの数に少なくとも部分的に基づいて送信するための複数のＳＲＳを選択するための手段をさらに含む、
請求項１３に記載の装置。
【請求項２１】
前記選択するための手段は、利用可能なアンテナポートの数より少ないように送信するための前記複数のＳＲＳを選択する、
請求項２０に記載の装置。
【請求項２２】
前記選択するための手段は、前記ＤＭ−ＲＳを送信するために使用されるプレコードされたレイヤの数よりも少ない利用可能なアンテナポートの数と等しくなるように送信するための前記複数のＳＲＳを選択する、
請求項２１に記載の装置。
【請求項２３】
マルチプルアンテナをサウンディングすることに関連する１つまたは複数のパラメータを受信するための手段をさらに含み、
前記少なくとも１つのリソースを決定するための手段は、前記１つまたは複数のパラメータに少なくとも部分的に基づいている、
請求項１３に記載の装置。
【請求項２４】
前記１つまたは複数のパラメータは、サウンディングするためのプレコーダまたはアンテナポート選択、１つまたは複数のサイクリックシフトへの前記プレコーダのマッピング、前記プレコーダを使用するための周期性、１つまたは複数のサブフレームへの前記プレコーダのマッピング、および、前記プレコーダを使用する間の電力オフセット、のうちの１つを含み、
前記少なくとも１つのリソースを決定するための手段は、前記プレコーダを使用して前記ＳＲＳをプレコードすることによって少なくとも部分的に基づく、
請求項２３に記載の装置。
【請求項２５】
無線通信のための装置であって、
復調基準信号（ＤＭ−ＲＳ）を送信するために予約される少なくとも１つのリソースを決定し、
前記少なくとも１つのリソースにわたってサウンディング基準信号（ＳＲＳ）を送信する
ように構成された少なくとも１つのプロセッサと、
前記少なくとも１つのプロセッサに結合されるメモリと
を備える、装置。
【請求項２６】
前記少なくとも１つのリソースは、異なるデバイスによって前記ＤＭ−ＲＳを送信するために予約される、
請求項２５に記載の装置。
【請求項２７】
前記少なくとも１つのプロセッサは、前記ＳＲＳについてのサイクリックシフトを決定するようにさらに構成され、前記サイクリックシフトは、前記ＤＭ−ＲＳについての別のサイクリックシフトとは異なる、
請求項２５に記載の装置。
【請求項２８】
前記少なくとも１つのプロセッサは、前記ＳＲＳについての直交カバーコード（ＯＣＣ）を決定するようにさらに構成され、前記ＯＣＣは、前記ＤＭ−ＲＳについての第２のＯＣＣとは異なる、
請求項２５に記載の装置。
【請求項２９】
前記少なくとも１つのプロセッサは、アンテナポートの数に少なくとも部分的に基づいて送信するための複数のＳＲＳを選択するようにさらに構成される、
請求項２５に記載の装置。
【請求項３０】
前記少なくとも１つのプロセッサは、利用可能なアンテナポートの数より少ないように複数のＳＲＳを選択するように構成される、
請求項２９に記載の装置。
【請求項３１】
前記少なくとも１つのプロセッサは、前記ＤＭ−ＲＳを送信するために使用されるプレコードされたレイヤの数よりも少ない利用可能なアンテナポートの数と等しくなるように前記複数のＳＲＳを選択するように構成される、
請求項３０に記載の装置。
【請求項３２】
コンピュータ可読記憶媒体を備えるコンピュータプログラムプロダクトであって、前記コンピュータ可読記憶媒体は、
少なくとも１つのコンピュータに、復調基準信号（ＤＭ−ＲＳ）を送信するために予約される少なくとも１つのリソースを決定させるための命令と、
前記少なくとも１つのコンピュータに、前記少なくとも１つのリソースにわたってサウンディング基準信号（ＳＲＳ）を送信させるための命令と
を備える、コンピュータプログラムプロダクト。
【請求項３３】
前記少なくとも１つのリソースは、異なるデバイスによって前記ＤＭ−ＲＳを送信するために予約される、
請求項３２に記載のコンピュータプログラムプロダクト。
【請求項３４】
前記コンピュータ可読記憶媒体は、前記少なくとも１つのコンピュータに、アンテナポートの数に少なくとも部分的に基づいて送信するための複数のＳＲＳを選択させるための命令をさらに含む、
請求項３２に記載のコンピュータプログラムプロダクト。
【請求項３５】
前記少なくとも１つのコンピュータに前記複数のＳＲＳを選択させるための命令は、利用可能なアンテナポートの数より少ないように前記複数のＳＲＳを選択する、
請求項３４に記載のコンピュータプログラムプロダクト。
【請求項３６】
前記少なくとも１つのコンピュータに前記複数のＳＲＳを選択させるための命令は、前記ＤＭ−ＲＳを送信するために使用されるプレコードされたレイヤの数よりも少ない利用可能なアンテナポートの数と等しくなるように前記複数のＳＲＳを選択する、
請求項３５に記載のコンピュータプログラムプロダクト。
【請求項３７】
無線通信の方法であって、
デバイスに１つまたは複数のパラメータをシグナリングすることと、ここにおいて、前記１つまたは複数のパラメータは、マルチプルアンテナポートをサウンディングすることに関連する、
前記マルチプルアンテナポートにわたって前記デバイスから信号を受信することと、
前記信号からプレコーディングを除くことによって少なくとも部分的に前記信号に関連する１つまたは複数のチャネルを推定することと
を備える、方法。
【請求項３８】
前記１つまたは複数のパラメータをシグナリングすることは、サウンディングするためのプレコーダまたはアンテナポート選択、１つまたは複数のサイクリックシフトへの前記プレコーダのマッピング、前記プレコーダを使用するための周期性、１つまたは複数のサブフレームへの前記プレコーダのマッピング、および、前記プレコーダを使用する間の電力オフセット、のうちの１つをシグナリングすることを含み、前記プレコーダは、前記プレコーディングに対応する、
請求項３７に記載の方法。
【請求項３９】
前記１つまたは複数のチャネルを推定することに少なくとも部分的に基づいて後続送信のためにプレコーダを決定することと、
前記プレコーダを前記デバイスに指定することと
をさらに含む、請求項３７に記載の方法。
【請求項４０】
前記１つまたは複数のパラメータをシグナリングすることは、前記マルチプルアンテナポートをサウンディングするためにリソースをシグナリングすることを含み、前記リソースは、復調基準信号を送信するために別のデバイスによって使用される、
請求項３７に記載の方法。
【請求項４１】
前記１つまたは複数のチャネルを推定することは、前記信号を送信することにおいて前記デバイスによって使用されていない複数のサイクリックシフトを決定することをさらに含む、
請求項３７に記載の方法。
【請求項４２】
無線通信のための装置であって、
デバイスに、マルチプルアンテナポートをサウンディングすることに関連する１つまたは複数のパラメータをグナリングするための手段と、
前記マルチプルアンテナポートにわたって前記デバイスから信号を受信するための手段と、
前記信号からプレコーディングを除くことによって少なくとも部分的に前記信号に関連する１つまたは複数のチャネルを推定するための手段と
を備える、装置。
【請求項４３】
前記１つまたは複数のパラメータは、サウンディングするためのプレコーダまたはアンテナポート選択、１つまたは複数のサイクリックシフトへの前記プレコーダのマッピング、前記プレコーダを使用するための周期性、１つまたは複数のサブフレームへの前記プレコーダのマッピング、および、前記プレコーダを使用する間の電力オフセット、のうちの１つを含み、前記プレコーダは、前記プレコーディングに対応する、
請求項４２に記載の装置。
【請求項４４】
前記１つまたは複数のチャネルを推定することに少なくとも部分的に基づいて後続送信のためにプレコーダを決定するための手段と、
前記デバイスに前記プレコーダを指定するための手段と
をさらに含む、請求項４２に記載の装置。
【請求項４５】
前記１つまたは複数のパラメータは、前記マルチプルアンテナポートをサウンディングするためのリソースを含み、前記リソースは、復調基準信号を送信するために別のデバイスによって使用される、
請求項４２に記載の装置。
【請求項４６】
前記１つまたは複数のチャネルを推定するための手段は、前記信号を送信することにおいて前記デバイスによって使用されていない複数のサイクリックシフトを決定するための手段をさらに含む、
請求項４２に記載の装置。
【請求項４７】
無線通信のための装置であって、
デバイスに、マルチプルアンテナポートをサウンディングすることに関連する１つまたは複数のパラメータをシグナリングし、
前記マルチプルアンテナポートにわたって前記デバイスから信号を受信し、
前記信号からプレコーディングを除くことによって少なくとも部分的に前記信号に関連する１つまたは複数のチャネルを推定する
ように構成された少なくとも１つのプロセッサと、
前記少なくとも１つのプロセッサに結合されたメモリと
を備える装置。
【請求項４８】
前記１つまたは複数のパラメータは、サウンディングするためのプレコーダまたはアンテナポート選択、１つまたは複数のサイクリックシフトへの前記プレコーダのマッピング、前記プレコーダを使用するための周期性、１つまたは複数のサブフレームへの前記プレコーダのマッピング、および、前記プレコーダを使用する間の電力オフセット、のうちの１つを含み、前記プレコーダは、前記プレコーディングに対応する、
請求項４７に記載の装置。
【請求項４９】
前記１つまたは複数のパラメータは、前記マルチプルアンテナポートをサウンディングするためのリソースを含み、前記リソースは、復調基準信号を送信するために別のデバイスによって使用される、
請求項４７に記載の装置。
【請求項５０】
コンピュータ可読記憶媒体を備えるコンピュータプログラムプロダクトであって、前記コンピュータ可読記憶媒体は、
デバイスに、マルチプルアンテナポートをサウンディングすることに関連する１つまたは複数のパラメータを少なくとも１つのコンピュータにシグナリングさせるための命令と、
前記マルチプルアンテナポートにわたって前記デバイスから信号を前記少なくとも１つのコンピュータに受信させるための命令と、
前記信号からプレコーディングを除くことによって少なくとも部分的に前記信号に関連する１つまたは複数のチャネルを前記少なくとも１つのコンピュータに推定させるための命令と
を備える、コンピュータプログラムプロダクト。
【請求項５１】
前記１つまたは複数のパラメータは、前記マルチプルアンテナポートをサウンディングするためのリソースを含み、前記リソースは、復調基準信号を送信するために別のデバイスによって使用される、
請求項５０に記載のコンピュータプログラムプロダクト。
【請求項５２】
前記少なくとも１つのコンピュータに推定させるための命令は、前記信号を送信することにおいて前記デバイスによって使用されていない複数のサイクリックシフトを決定することによって少なくとも部分的に基づいて前記１つまたは複数のチャネルを前記少なくとも１つのコンピュータに推定させるための命令を含む、
請求項５０に記載のコンピュータプログラムプロダクト。
【発明の詳細な説明】
【優先権主張】
【０００１】
米国特許法第１１９条に基づく優先権の主張  
本特許出願は、本出願の譲受人に譲渡され、参照により本明細書に明白に組み込まれる、２０１０年５月３日に出願された「Method and Apparatus for Channel Sounding in a Wireless Communication System」と題する仮出願第６１／３３０，８５０号の優先権を主張する。
【技術分野】
【０００２】
以下の説明は、一般に、無線ネットワーク通信に関し、より具体的には、マルチプルアンテナポートにわたるチャネルサウンディングに関する。
【背景技術】
【０００３】
無線通信システムは、例えば、音声、データ等のような様々なタイプの通信コンテンツを提供するように広く展開されている。一般的な無線通信システムは、利用可能なシステムリソース（例えば、帯域幅、送信電力等）を共有することによって複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同様なものを含めうる。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータ最適化（ＥＶ−ＤＯ）等のような仕様書に準拠することができる。
【０００４】
一般的に、無線多元接続通信システムは、複数のモバイルデバイスのための通信を同時にサポートすることができる。各モバイルデバイスは、順方向リンクと逆方向リンク上の送信を介して、１つまたは複数の基地局と通信しうる。順方向リンク（またはダウンリンク）は、基地局からモバイルデバイスまでの通信リンクを指し、逆方向リンク（またはアップリンク）は、モバイルデバイスから基地局までの通信リンクを指す。さらにモバイルデバイスと基地局との間の通信は、単一入力単一出力（ＳＩＳＯ）システム、多入力単一出力（ＭＩＳＯ）システム、多入力多出力（ＭＩＭＯ）システム、等を介して確立されうる。
【０００５】
一例では、モバイルデバイスは、マルチプルアンテナポートを使用して基地局と通信することができ、基地局に送信されたＭＩＭＯ通信にプレコーダを適用してマルチプルアンテナポートにわたって基地局に対するチャネルのキャパシティを最大化することができる。例えば、基地局は（例えば、前の通信に基づいて）モバイルデバイスでチャネル状態を決定することができ、決定されたチャネル状態を鑑みて、モバイルデバイスに対してプレコーダを表示することができる。モバイルデバイスは、プレコーダを受信し、プレコーダを、マルチプルアンテナポートにわたって送信するための後続通信に適用することができる。
【０００６】
しかしながら、チャネル状態は変化するが、基地局は、現在の状態に最適なプレコーダを必ずしも常に指定しないことがある。いくつかのケースでは、モバイルデバイスは、アップリンク通信を復調するためのパラメータを指定するアップリンク通信で復調基準信号（ＤＭ−ＲＳ）を送信し、このことはチャネル状態を決定するために使用されることができる。しかしながら、ＭＩＭＯ通信では、モバイルデバイスは、ＤＭ−ＲＳを送信するためにかならずしもすべてのアンテナポートを使用するわけではない（または、マルチプルアンテナポートが同じＤＭ−ＲＳを送信するようにアンテナポートを結合することができる）、そしてそれは、プレコーダを選択するためにすべてのチャネルにわたって状態を決定する基地局の能力に影響を与えることができる。
【発明の概要】
【０００７】
以下は、そのような態様の基本的な理解を提供するために、１つまたは複数の態様の簡略な概要を提示する。この概要は、すべての熟考された態様の広範囲な全体像ではなく、すべての態様の重要なあるいは決定的なエレメントを識別することも、あるいは、いずれあるいはすべての態様の範囲を詳細に描写することも、意図されていない。その唯一の目的は、後で示される、より詳細な説明の前置きとして、簡略化された形で１つまたは複数の態様のいくつかの概念を示すことである。
【０００８】
１つまたは複数の態様およびその対応する開示にしたがって、本開示は、サウンディング基準信号（ＳＲＳ）を通信するための復調基準信号（ＤＭ−ＲＳ）送信を意図したリソースを使用することに関連して様々な態様を説明する。例えば、多入力多出力（ＭＩＭＯ）通信では、ＳＲＳは、対応するＤＭ−ＲＳがリソースにわたって送信されない、少なくとも１つまたは複数のアンテナポートのためにＤＭ−ＲＳリソースにわたって送信されることができる。この例では、ＳＲＳおよびＤＭ−ＲＳの受信機は、ＳＲＳおよび／またはＤＭ−ＲＳが受信されるチャネル状態を決定することができ、アンテナポートにわたって後続送信のチャネルキャパシティを改善するためにＳＲＳおよび／またはＤＭ−ＲＳの送信機のためのプレコーダを選択することができる。別の例では、ＳＲＳは、リソースにわたって別のデバイスのＤＭ−ＲＳと多重化されることができ、別のデバイスは、ＤＭ−ＲＳを送信するためにリソースのすべてを使用しない。
【０００９】
一態様によれば、無線通信のための方法が提供される。方法は、ＤＭ−ＲＳを送信し、少なくとも１つのリソースにわたってＳＲＳを送信するために予約される少なくとも１つのリソースを決定することを含む。
【００１０】
別の態様では、無線通信のための装置が提供される。装置は、ＤＭ−ＲＳを送信するために予約される少なくとも１つのリソースを決定するように構成された少なくとも１つのプロセッサを含む。少なくとも１つのプロセッサは、少なくとも１つのリソースにわたってＳＲＳを送信するようにさらに構成される。装置はまた、少なくとも１つのプロセッサに結合されたメモリを含む。
【００１１】
さらに別の態様では、ＤＭ−ＲＳを送信するために予約される少なくとも１つのリソースを決定するための手段を含む、無線通信のための装置が提供される。装置は、少なくとも１つのリソースにわたってＳＲＳを送信するための手段をさらに含む。
【００１２】
さらに、別の態様では、コンピュータプログラムプロダクトが提供される。コンピュータプログラムプロダクトは、少なくとも１つのコンピュータに、ＤＭ−ＲＳを送信するために予約される少なくとも１つのリソースを決定させるための命令を有するコンピュータ可読記憶媒体を含む。コンピュータ可読記憶媒体は、少なくとも１つのコンピュータに、少なくとも１つのリソースにわたってＳＲＳを送信させるための命令をさらに含む。
【００１３】
さらに、一態様では、ＤＭ−ＲＳを送信するために予約される少なくとも１つのリソースを決定するためのＳＲＳ生成コンポーネントを含む無線通信のための装置が提供される。装置は、少なくとも１つのリソースにわたってサウンディング基準信号を送信するためのＭＩＭＯ通信コンポーネントをさらに含む。
【００１４】
別の態様によれば、無線通信の方法が提供される。方法は、デバイスにマルチプルアンテナポートをサウンディングすることに関連する１つまたは複数のパラメータをシグナリングすることと、マルチプルアンテナポートにわたってデバイスから信号を受信することと、を含む。方法はさらに、信号からプレコーディングを除くことによって少なくとも部分的に信号に関連する１つまたは複数のチャネルを推定することをさらに含む。
【００１５】
別の態様では、無線通信のための装置が提供される。装置は、デバイスにマルチプルアンテナポートをサウンディングすることに関連する１つまたは複数のパラメータをシグナリングするように、マルチプルアンテナポートにわたってデバイスから信号を受信するように、構成された少なくとも１つのプロセッサを含む。少なくとも１つのプロセッサはさらに、信号からプレコーディングを除くことによって少なくとも部分的に信号に関連する１つまたは複数のチャネルを推定するように構成される。装置はまた、少なくとも１つのプロセッサに結合されたメモリを含む。
【００１６】
さらに別の態様では、デバイスにマルチプルアンテナポートをサウンディングすることに関連する１つまたは複数のパラメータをシグナリングするための手段と、マルチプルアンテナポートにわたってデバイスから信号を受信するための手段と、を含む無線通信のための装置が提供される。装置はさらに、信号からプレコーディングを除くことによって少なくとも部分的に信号に関連する１つまたは複数のチャネルを推定するための手段を含む。
【００１７】
さらに、別の態様では、コンピュータプログラムプロダクトが提供される。コンピュータプログラムプロダクトは、デバイスにマルチプルアンテナポートをサウンディングすることに関連する１つまたは複数のパラメータを少なくとも１つのコンピュータにシグナリングさせるための命令と、マルチプルアンテナポートにわたってデバイスから信号を少なくとも１つのコンピュータに受信させるための命令と、を有するコンピュータ可読記憶媒体を含む。コンピュータ可読記憶媒体はさらに、少なくとも１つのコンピュータに、信号からプレコーディングを除くことによって少なくとも部分的に信号に関連する１つまたは複数のチャネルを推定させるための命令を含む。
【００１８】
さらに一態様では、デバイスにマルチプルアンテナポートをサウンディングすることに関連する１つまたは複数のパラメータをシグナリングするためのプレコーダ決定コンポーネントと、マルチプルアンテナポートにわたってデバイスから信号を受信するためのＭＩＭＯ通信コンポーネントと、を含む無線通信のための装置が提供される。装置はさらに、信号からプレコーディングを除くことによって少なくとも部分的に信号に関連する１つまたは複数のチャネルを推定するためのチャネル状態決定コンポーネントを含む。
【００１９】
前述および関連の目的の達成のために、１つまたは複数の態様は、本明細書で十分に説明され、特許請求の範囲で特に指摘された特徴を備える。下記の説明および添付図面は、１つまたは複数の態様のある説明の特徴を詳細に記載している。しかしながら、これらの特徴は、様々な態様の原理が利用されうる様々な方法のうちいくつかを示しているが、この説明は、すべてのそのような態様およびそれらの均等物を含むように意図されている。
【００２０】
開示された態様は、添付図面と一緒に、本明細書で説明され、開示された態様を限定するのではなく説明するために提供されており、ここにおいて、同様の呼称(designation)は、同様の構成要素を示す。
【図面の簡単な説明】
【００２１】
【図１】図１は、多入力多出力（ＭＩＭＯ）通信を容易にするシステムのブロック図である。
【図２】図２は、他の送信のために予約されるリソースにわたって１つまたは複数のアンテナポートのためのサウンディング基準信号（ＳＲＳ）を多重化するためのシステムのブロック図である。
【図３】図３は、別のデバイスの復調基準信号（ＤＭ−ＲＳ）リソースにわたってＳＲＳを多重化するためのシステムのブロック図である。
【図４】図４は、ＤＭ−ＲＳリソースにわたってＳＲＳを通信するための方法のフローチャートである。
【図５】図５は、実質的にすべての利用可能なアンテナポートをサウンディングするためのプレコーダのための１つまたは複数のプレコーダ拡張を選択する方法のフローチャートである。
【図６】図６は、異なるＤＭ−ＲＳを送信しない１つまたは複数のアンテナポートのためのＳＲＳを送信するための方法のフローチャートである。
【図７】図７は、アクセスポイントからの制御シグナリングに少なくとも部分的に基づいてＳＲＳを生成するための方法のフローチャートである。
【図８】図８は、デバイスのマルチプルアンテナポートにわたってサウンディングをリクエストするための方法の一態様のフローチャートである
【図９】図９は、１つまたは複数のアンテナポートのためのＳＲＳを生成するためのモバイルデバイスのブロック図である。
【図１０】図１０は、様々なアンテナポートからＳＲＳおよび／またはＤＭ−ＲＳを受信するためのシステムのブロック図である。
【図１１】図１１は、ここに説明される様々なシステムおよび方法に関連して利用されることができる無線ネットワーク環境の概略ブロック図である。
【発明を実施するための形態】
【００２２】
様々な態様が、図面を参照して説明される。次の説明では、説明する目的のために、多くの具体的な詳細が記載され、１つまたは複数の態様の完全な理解を提供する。しかしながら、このような態様（単数または複数）はこれらの特定の詳述なしに、実行されうるということは、明白である。
【００２３】
本願で使用されるように、用語「コンポーネント」、「モジュール」、「システム」および同様なものは、例えば、ハードウェア、ファームウェア、ハードウェアとソフトウェアの組み合わせ、ソフトウェア、または実行中のソフトウェアに限定されないが、コンピュータ関連のエンティティを含むように意図されている。例えば、コンポーネントは、限定されてはいないが、プロセッサ上で実行しているプロセス、プロセッサ、オブジェクト(object)、実行ファイル(executable)、実行スレッド(thread of execution)、プログラム、および/またはコンピュータ、でありうる。例として、コンピューティングデバイス上で実行中のアプリケーションとコンピューティングデバイスの両方はコンポーネントであることができる。１つまたは複数のコンポーネントは、プロセスおよび／または実行スレッド内に存在することができ、また、コンポーネントは、１つのコンピュータ上に局在化されうる、および／または２つ以上のコンピュータの間で分散されうる。さらに、これらのコンポーネントは、そこに記憶された様々なデータ構造を有している様々なコンピュータ可読媒体から実行することが出来る。コンポーネントは、ローカルな、および／または、遠隔のプロセスで通信することができ、例えば、ローカルシステムにおいて、分散システムにおいて、および／または、信号の方法で他のシステムを用いたインターネットのようなネットワークにわたって、別のコンポーネントと相互作用している１つのコンポーネントからのデータのような、１つまたは複数のデータパケットを有する信号に従う。
【００２４】
さらに、様々な態様は、端末と関連して、ここにおいて説明される。端末はまた、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、またはユーザ機器（ＵＥ）と呼ばれることができる。端末は、セルラ電話、衛星電話、コードレス電話、スマートフォン、セッションイニシエーションプロトコル（ＳＩＰ）電話、無線ローカルループ（ＷＬＬ）局、携帯情報端末（ＰＤＡ）、無線接続機能を有しているハンドヘルドデバイス、コンピューティングデバイス、タブレット、または無線モデムに接続された他のプロセッシングデバイス、を含めうる。さらに、様々な態様は、基地局と関連してここに説明される。基地局は、端末（１つまたは複数）と通信するために使用されうる、また、アクセスポイント、ノードＢ、発展型ノードＢ（ｅＮＢ）またはいくつかの他の用語で呼ばれうる。
【００２５】
さらに、用語「または(or)」は、排他的な「または(or)」よりもむしろ包括的な「または(or)」を意味するように意図されている。すなわち、指定されないかぎり、あるいは、文脈から明瞭でないかぎり、フレーズ「ＸはＡまたはＢを利用する」は、自然な包括置換のうちのいずれかを意味するように意図されている。すなわちフレーズ「ＸはＡまたはＢを使用する(X employs A or B)」は、次の例：ＸはＡを使用する；ＸはＢを使用する；または、ＸはＡとＢの両方を使用する；のうちのいずれかによって満たされる。さらに、本願および添付された特許請求項の範囲で使用される、冠詞「ａ」および「ａｎ」は、指定されないかぎり、あるいは、文脈から単数形に指図されることが明らかでないかぎり、「１つまたは複数」を意味するように一般的に解釈されるべきである。
【００２６】
ここで説明された技術は、ＣＤＭＡ、ＴＤＭＡ、ＦＤＭＡ、ＯＦＤＭＡおよびＳＣ−ＦＤＭＡおよび他のシステムのような様々な無線通信システムに使用されうる。「システム」、「ネットワーク」という用語はしばしば置換可能に使用される。ＣＤＭＡシステムは、ユニバーサル地上ブロードキャストアクセス（ＵＴＲＡ）、ｃｄｍａ２０００等の無線技術を実装しうる。ＵＴＲＡは、広帯域ＣＤＭＡ（Ｗ−ＣＤＭＡ）およびＣＤＭＡの他の変形を含む。さらに、ｃｄｍａ２０００は、ＩＳ−２０００、ＩＳ−９５、およびＩＳ−８５６標準規格をカバーする。ＴＤＭＡシステムは、モバイル通信のためのグローバルシステム（ＧＳＭＩ（登録商標））のような無線技術を実装しうる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線技術を実装しうる。ＵＴＲＡとＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、そしてそれは、ダウンリンク上でＯＦＤＭＡを利用し、アップリンク上でＳＣ−ＦＤＭＡを利用する。ＵＴＲＡ、Ｅ−ＵＴＲＡ、ＵＭＴＳ、ＬＴＥおよびＧＳＭは、「第３世代共同プロジェクト」（３ＧＰＰ）という名の組織の文書の中で説明されている。さらに、ｃｄｍａ２０００およびＵＭＢは、「第３世代共同プロジェクト２」（３ＧＰＰ２）という名の組織の文書の中で説明されている。さらに、そのような無線通信システムは、ペアでないライセンスされていないスペクトラム(unpaired unlicensed spectrums)、８０２．ｘｘ無線ＬＡＮ、ＢＬＵＥＴＯＯＴＨ（登録商標）、およびいずれの他の短距離のあるいは長距離の無線通信技法をしばしば使用している、ピア・ツー・ピア（例えば、モバイル・ツー・モバイル）アドホックネットワークシステムを追加的に含めうる。
【００２７】
様々な態様または特徴は、複数のデバイス、コンポーネント、モジュール、および同様なものを含めうるシステムの点から提示される。様々なシステムは、更なるデバイス、コンポーネント、モジュール、等を含んでもよく、および／または、図に関連して説明されたデバイス、コンポーネント、モジュール等のすべてを含まなくてもよい、ということは理解され、認識されるべきである。これらの手法の組み合わせもまた使用されうる。
【００２８】
図１を参照すると、ＭＩＭＯ通信をサポートする例示的な無線通信システム１００が図示される。システム１００は、（例えば、無線ネットワークへのアクセスを受信するために）アクセスポイントと通信するデバイス１０２を備える。デバイス１０２は、アクセスポイント１０４の１つまたは複数のアンテナ１０８と通信する、マルチプルアンテナポート１０６を含めることができる。さらに、デバイス１０２は、１つまたは複数のアンテナポート１０６にわたって信号を送信するために１つまたは複数の信号にプレコーダを適用するためのプレコーディングコンポーネント１１０を備えることができる。例えば、デバイス１０２は、ＵＥ、モデム（または他のテザーデバイス(tethered device)）、その一部、および／または同様なものであることができる。さらに、アクセスポイント１０４は、マクロセル、フェムトセル、またはピコセルアクセスポイント、移動基地局、リレーノード、デバイス（例えば、デバイス１０２と、ピア・ツー・ピアまたはアドホックモードで通信する）、その一部、および／または同様なものであることができる。
【００２９】
一例によれば、デバイス１０２は、アンテナポート１０６の少なくとも一部を使用してアクセスポイント１０４と通信することができる。信号は、アクセスポイント１０４においてアンテナ１０８のうち１つまたは複数によって受信されることができる。一例では、デバイス１０２は、並列で（例えば、各々がコードワードに対応することができる）複数の信号を送信することができ、各々は複数の送信レイヤにわたる。送信レイヤの数は、例えば、アンテナポート１０６の数より少ないまたは等しい実質任意の数であることができる。したがって、例えば、デバイス１０２は、アンテナの数と等しい送信レイヤの数にわたって信号を送信することができ、アクセスポイント１０４は、アンテナポート１０６の各々に関連するチャネルを提供するアンテナ１０８のうち１つまたは複数にわたって信号を受信することができる。この例では、アクセスポイント１０４は、アンテナポート１０６の各々に関連するチャネルの各々を評価することができる。したがって、一例では、アクセスポイント１０４は、チャネルのキャパシティまたは状態を改善するために後続通信で使用するデバイス１０２のためのプレコーダを決定することができる。
【００３０】
別の例では、デバイス１０２は、アンテナの数より少ない送信レイヤの数にわたって信号を送信することができる。この例では、プレコーディングコンポーネント１１０は、信号を送信するために送信レイヤの数と等しいアンテナの数の一部を使用するためにプレコーダにしたがって信号をプレコードすることができる。さらなる例では、プレコーディングコンポーネント１１０は、信号を送信するために送信レイヤの数より多いアンテナの数の一部を使用するためにプレコーダにしたがって信号をプレコードすることができる。この例では、アンテナポート１０６の１つまたは複数はアクセスポイント１０４に同じ信号（例えば、同じ送信レイヤ）を送信することができる。プレコードされた送信レイヤの数がアンテナポート１０６の数よりも小さいいずれの例においても、アクセスポイント１０４は、共通信号を送信する、または使用されていないアンテナポート１０６の部分に起因してすべてのアンテナポート１０６または関連チャネルにわたってチャネル状態を評価することができないことがある。したがって、アクセスポイント１０４はデバイス１０２の実質的にすべてのアンテナポートの状態を知らないので、アクセスポイント１０４は、後続通信のためにデバイス１０２のための別のプレコーダを信頼して選択することができないことがある。この点において、アクセスポイント１０４におけるチャネル状態評価を容易にするために同じ信号を送信するアンテナポートおよび／または使用されていないアンテナポートにわたって、アクセスポイント１０４に信号をデバイス１０２が送信することが望ましい可能性がある。
【００３１】
したがって、一例では、デバイス１０２は、アクセスポイント１０４に１つまたは複数のアンテナポート１０６に関連するＳＲＳを送信することができる。例えば、デバイス１０２は、デバイス１０２および／または他のデバイスのＤＭ−ＲＳのような、他の送信を意図したリソース（例えば、リソースは、他の送信のために部分的に使用される）を使用してＳＲＳを送信することができる。例えば、デバイス１０２は、ＳＲＳを他の送信と多重化することができ、ＳＲＳおよび／または他の送信の直交性を維持することができる。この例では、アクセスポイント１０４は、ＳＲＳを受信することができ、ＳＲＳを復号して、ＳＲＳを送信するアンテナポート１０６に関連するチャネル状態を決定することができる。一例では、デバイス１０２は、各アンテナポート１０６のためのＳＲＳを送信することができる。別の例では、デバイス１０２は、ＤＭ−ＲＳを意図したリソースにわたってＳＲＳを送信することができ、デバイス１０２が対応するＤＭ−ＲＳを送信しない（または、別のアンテナポートにわたって送信されたＤＭ−ＲＳと同じであるＤＭ−ＲＳを送信している）アンテナポート１０６のためのＳＲＳを送信し、アクセスポイント１０４がアンテナポート１０６の各々に関連するＳＲＳまたはＤＭ−ＲＳのいずれかを受信することを確実にすることができる。
【００３２】
図２に戻ると、１つまたは複数のアンテナポートのためのＳＲＳを通信することを容易にする例示的な無線通信システム２００が図示されている。システム２００は、（例えば、無線ネットワークへのアクセスまたは別のものを受信するために）アクセスポイント２０４と通信することができるデバイス２０２を含むことができる。一例では、デバイス２０２は、ＵＥ、モデム（または他のテザーデバイス）、その一部、および／または同様なものであることができ、アクセスポイント２０４は、説明されるように、マクロセル、フェムトセル、ピコセル、または同様なアクセスポイント、その一部等であることができる。さらに、デバイス２０２は、説明されるように、アクセスポイント２０４と通信するためにマルチプルアンテナポートを使用することができる。
【００３３】
デバイス２０２は、マルチプルアンテナポートを使用して複数の送信レイヤにわたって（例えば、並列でまたは別な方法で）信号を通信するためのＭＩＭＯ通信コンポーネント２０６、および、１つまたは複数の利用可能なアンテナポートにわたって送信するためにＳＲＳを生成するためのＳＲＳ生成コンポーネント２０８、を備えることができる。デバイス２０２は、送信レイヤにわたって通信される信号に関連するＤＭ−ＲＳを生成するためにＤＭ−ＲＳ生成コンポーネント２１０、および／または、デバイス２０２のアンテナポートに関連するチャネルのキャパシティを改善するために信号に受信されたプレコーダを適用するためのプレコーディングコンポーネント２１２をオプションで備えることができる。アクセスポイント２０４は、１つまたは複数のアンテナにわたってデバイスからＭＩＭＯ通信（例えば、複数の送信レイヤにわたる信号）を受信するためのＭＩＭＯ通信コンポーネント２１４、および、ＭＩＭＯ通信においてプレコードされた信号を決定するためのオプションのプレコーディング除去コンポーネント２１６、を備えることができる。アクセスポイント２０４はまた、ＳＲＳおよび／またはＤＭ−ＲＳが受信されるチャネルの状態を評価するためのチャネル状態決定コンポーネント２１８、および／または、チャネルのキャパシティを改善するためにデバイスから後続通信のためにプレコーダを選択するためのプレコーダ決定コンポーネント２２０、をオプションで備えることができる。
【００３４】
一例によれば、ＭＩＭＯ通信コンポーネント２０６は、アクセスポイント２０４に、マルチプルアンテナポートを使用して複数のレイヤにわたって信号を送信することができる。ＭＩＭＯ通信コンポーネント２１４は、１つまたは複数のアンテナにわたって信号を受信することができ、複数のレイヤの各々を処理することができる。例えば、ＭＩＭＯ通信コンポーネント２０６は、マルチプルアンテナポートの各々に対応するＭＩＭＯ通信コンポーネント２１４でチャネルを確立することができる。さらに、説明されるように、ＭＩＭＯ通信コンポーネント２０６は異なるランクの送信を可能にすることができ、ここにおいて、ランクは、送信レイヤの数に対応することができる。したがって、例えば、ランク１送信は、すべての利用可能なアンテナポート（または少なくとも１より多いアンテナポート）を使用することができる単一の送信レイヤに対応することができ、ランク２送信は、マルチプルアンテナポートにわたって２つの送信レイヤに対応することができ、ランクＬ送信はすべての利用可能なアンテナポートを使用することができ、Ｌは、アンテナポートの数等である。
【００３５】
一例では、ＭＩＭＯ通信コンポーネント２０６は、ランクＬ送信を送る場合、ＭＩＭＯ通信コンポーネント２１４は、対応するＬ送信レイヤを受信することができ、各送信レイヤは、アンテナポートから受信される。チャネル状態決定コンポーネント２１８は、Ｌ送信レイヤで受信された信号に少なくとも部分的に基づいて各アンテナポートに関連するチャネル状態を評価することができる。一例では、プレコーダ決定コンポーネント２２０は、各アンテナポートのチャネル状態に少なくとも部分的に基づいてデバイス２０２の後続送信のためにプレコーダを選択することができ、デバイス２０２にプレコーダを通信することができる。別の例では、説明されるように、ＭＩＭＯ通信コンポーネント２０６は、ランクＮ送信を送信することができる（Ｎ＜Ｌである）ので、必ずしもすべてのアンテナポートが異なる信号を送信するわけではない。むしろ、説明されるように、少なくとも１つのアンテナポートは使用されていない可能性がある、および／または、別のアンテナポートにわたって送信された同じ信号を送信することができる。この例では、チャネル状態決定コンポーネント２１８は、少なくとも１つのアンテナポートを区別することができないことがあり、そしてそれは、かならずしもすべてのチャネル状態が評価されることができないので、プレコーダを選択するようなプロセスに影響を及ぼす可能性がある。
【００３６】
例えば、プレコーダ決定コンポーネント２２０は、デバイス２０２のために次のプレコーダのうち１つを前に選択することができ、デバイス２０２に、プレコーダまたは少なくともそのインジケータを通信することができる。
【表１】
2013534070.tif 000003
【００３７】
この例では、デバイス２０２は、４つのアンテナポートにわたって１つの送信レイヤ（例えば、ランク１送信）を使用することができる。したがって、例えば、プレコーディングコンポーネント２１２は、ランク１送信をプレコードするためにコードブックインデックス０を使用し、４つのアンテナは、いくらかのスケーリングの後で同じ信号を送信し、最初の３つの行列の要素を使用する３つのアンテナは、同様なスケーリングを使用することができる。この場合には、ＭＩＭＯ通信コンポーネント２０６は、４つのアンテナポートにわたってプレコードされた信号（例えば、プレコードされた送信レイヤ）を送信することができ、ＭＩＭＯ通信コンポーネント２１４は、信号を受信することができる。チャネル状態決定コンポーネント２１８は、４つの同様にプレコードされた信号を区別することができないことがあるので、それぞれのアンテナポートにわたってチャネル状態を評価することができないことがある。別の例では、プレコーディングコンポーネント２１２は、ランク１送信をプレコードするためにコードブックインデックス１７を使用し、アンテナポートのうち２つが使用されていない（例えば、アンテナポートは、第２の行列の要素と第４の行列の要素に対応する）。この例では、ＭＩＭＯ通信コンポーネント２１４がプレコードされた信号を受信すると、チャネル状態決定コンポーネント２１８は、利用されていない２つのアンテナポートに対応する、チャネル状態、個々のチャネル等を評価できない。
【００３８】
説明されるように、デバイス２０２によって送信されたＳＲＳは、アンテナポートにわたってチャネル状態を評価するために使用されることができる。ここで説明される態様は、１つまたは複数のアンテナポートにわたってサウンディングを保証することによって、ＳＲＳを送信することを改善することができる。この点では、ＳＲＳ生成コンポーネント２０８は、ＤＭ−ＲＳまたは他のより頻繁に送信された信号のような、デバイス２０２からの他の信号で送信のために１つまたは複数のＳＲＳを生成することができる。したがって、一例では、ＳＲＳ生成コンポーネント２０８は、ＭＩＭＯ通信コンポーネント２０６によって送信のために利用されることができるすべてのアンテナポートのためのＳＲＳを生成することができ、デバイス２０２によって送信されたＤＭ−ＲＳとＳＲＳを多重化することができ、および／または、ここでさらに説明されるように、ＤＭ−ＲＳを送信するために別のデバイス（図示されず）によって割り当てられたリソースにわたって多重化することができる。例えば、ＤＭ ＲＳ生成コンポーネント２１０は、他のデータ（例えば、プレコーディングコンポーネント２１２によってプレコードされることができる）による送信のために１つまたは複数のＤＭ−ＲＳを生成することができる。例えば、ＤＭ−ＲＳは、他のデバイスによって送信されたデータに関連する送信レイヤに対応することができる。一例では、ＳＲＳ生成コンポーネント２０８は、（例えば、同じ周波数範囲における送信のために）ＳＲＳをＤＭ−ＲＳと多重化することができ、ＭＩＭＯ通信コンポーネント２０６は、マルチプルアンテナポートを使用して複数の信号においてＳＲＳおよびＤＭ−ＲＳを送信することができる。
【００３９】
この例では、ＭＩＭＯ通信コンポーネント２１４は、ＳＲＳとＤＭ−ＲＳを受信することができる。プレコーディング除去コンポーネント２１６は、プレコーディングを除くことによって信号の一部分を決定することができる。一例では、チャネル状態決定コンポーネント２１８は、ＳＲＳを送信するために使用される各チャネルの状態を評価することができ、それは、説明されているように、実質的にすべてのアンテナポートに関連する実質的にすべてのチャネルであることができるので、プレコーダ決定コンポーネント２２０は、デバイス２０２から後続通信のためにプレコーダを決定することにおいて各チャネルの状態を使用することができる。一つの具体的な例では、デバイス２０２は、時間および周波数リソースにわたって信号を多重化するために、ＯＦＤＭを使用してアクセスポイント２０４と通信することができる。この例では、ＤＭ−ＲＳ生成コンポーネント２１０は、ＤＭ−ＲＳを送信するためにシンボル期間（例えば、アップリンク送信に割り付けられた複数のシンボル期間のうちの１シンボル期間）を使用することができる。さらに、ＤＭ−ＲＳ生成コンポーネント２１０は、シンボル期間にわたって複数のＤＭ−ＲＳを多重化するためにサイクリックシフトを使用することができ、各ＤＭ−ＲＳは、少なくとも１周波数リソースだけシフトされる。この例では、ＳＲＳ生成コンポーネント２０８は、シンボル期間においてＳＲＳをＤＭ−ＲＳと多重化するために使用されていないサイクリックシフトを選択することができ、ＭＩＭＯ通信コンポーネント２０６は、それに応じて、シンボル期間中にＤＭ−ＲＳおよびＳＲＳを送信することができる。同様に、一例では、ＳＲＳ生成コンポーネント２０８は、ＤＭ−ＲＳのためのＯＣＣとして使用されていない、各ＳＲＳのためのＯＣＣを選択することができる。
【００４０】
別の例では、ＳＲＳ生成コンポーネント２０８は、ＭＩＭＯ通信コンポーネント２０６によって使用されていないアンテナポート（例えば、上記の、コードブックインデックス１７における要素２および４に関連するアンテナポート）、および／または複製信号を送信するアンテナポート（例えば、上記のコードブックインデックス０におけるアンテナポート１〜３）のためにＳＲＳを生成することができる。この例では、プレコーディングコンポーネント２１２によって使用されるプレコーダにしたがって異なるＤＭ−ＲＳを（例えば、プレコードされた送信レイヤにおいて）送信するアンテナポートは、ＤＭ−ＲＳに基づいてこれらのアンテナに関連するチャネル状態をチャネル状態決定コンポーネント２１８が評価することができるので、必ずしもＳＲＳを送信する必要はない。したがって、ＳＲＳ生成コンポーネント２０８は、説明されるように、残りのアンテナポートのためのＳＲＳを生成し、そして、ＳＲＳをＤＭ−ＲＳと多重化することができる。例えば、ＳＲＳ生成コンポーネント２０８は、残りのアンテナポートの数よりも少ない、ＤＭ−ＲＳを送信するためのプレコードされた送信レイヤの数より少ない利用可能なアンテナポートの数と等しい、および／または同様のアンテナポートの数に少なくとも部分的に基づいて送信するために複数のＳＲＳを選択することができる。ＭＩＭＯ通信コンポーネント２０６は、（例えば、シンボル期間中に）ＤＭ−ＲＳおよびＳＲＳを送信することができ、ＭＩＭＯ通信コンポーネント２１４は、多重化されたＤＭ−ＲＳとＳＲＳを取得することができる。プレコーディング除去コンポーネント２１６は、受信信号からプレコーディングを除くことによってＤＭ−ＲＳとＳＲＳを決定することができる。チャネル状態決定コンポーネント２１８は、ＤＭ−ＲＳとＳＲＳが送信されるチャネルの状態を評価することができる。したがって、プレコーダ決定コンポーネント２２０は、デバイス２０２で後で使用するために、プレコーダを選択することにおいて、すべてのチャネル（例えば、したがって、デバイス２０２のすべての利用可能なアンテナポート）の状態を使用することができる。
【００４１】
一例では、ＳＲＳ生成コンポーネント２０８は、ＳＲＳを送信するリソースを選択または指定することによってＤＭ−ＲＳ信号としてＳＲＳを生成することができる。一例では、ＳＲＳ生成コンポーネント２０８は、デバイス２０２の実質的にすべての利用可能なアンテナポート、デバイス２０２の使用されていないアンテナポート、複製ＤＭ−ＲＳを送信するデバイス２０２のアンテナポート、および／または同様なものの上でＳＲＳとしてＤＭ−ＲＳをＳＲＳとしてサウンディングすることを達成するために、プレコーダで使用するために１つまたは複数のプレコーダ拡張を選択するまたは指定することができる。例えば、プレコーディングコンポーネント２１２は、ランク１送信について、上記で、コードブックインデックス１７を使用し、ＳＲＳ生成コンポーネント２０８は、コンプリメントする１つまたは複数のプレコーダ拡張を生成するおよび／または選択することができる、またはそうでない場合にはコードブックインデックス１７に関連するとして示される。例えば、次のプレコーダ
【数１】
2013534070.tif 000004
【００４２】
が与えられると、コンプリメンタリプレコーダ拡張は、下記の
【数２】
2013534070.tif 000005
【００４３】
に類似することがある。第２および第４の行列の要素、ならび個々に第１および第３の行列の要素に関連するアンテナポートは、ＤＭ−ＲＳでサウンディングされることができる。例えば、適切なプレコーダ拡張は、データ関連のＤＭ−ＲＳ送信に使用されるプレコーダの連結およびプレコーダ拡張が直交行列を形成するということを確実にすることによって構成されることができる。
【００４４】
行列Ｍは、内積行列ＭＨがすべてゼロの非対角線要素を有する場合には直交である。例えば、コードブックインデックス１７に関連するランク１プレコーダの行列の連結と、上で挙げられたコンプリメンタリプレコーダ拡張を結合することは、下記と同様な４×４行列をもたらすことができる：
【数３】
2013534070.tif 000006
【００４５】
なお、Ｍは直交である。例えば、デバイス２０２におけるすべての利用可能なアンテナポートをサウンディングするために、データのＤＭ−ＲＳ送信に使用されるプレコーダの連結と、コンプリメンタリプレコーダ拡張は、ＮＴＸ×ＮＴＸであることができ、ＮＴＸは、デバイス２０２における利用可能なＴｘアンテナポートの数である。コンプリメンタリプレコーダ拡張の各列は、任意の非ゼロ複素スケーリング係数によって乗算されることができ、そしてそれは、直交性を保つことができる、ということが理解されるべきである。スケーリング係数のセットは、例えば、［１  ｊ  −１  −ｊ］であることができる。一般に、スケーリング係数は、大きさ１である必要はない。
【００４６】
この点で、ＳＲＳ生成コンポーネント２０８は、デバイス２０２において実質的にすべての利用可能なアンテナポート上でサウンディングするようにＤＭ−ＲＳをさらにプレコードするためのこのようなプレコーダ拡張を指定または生成することができる。同様に、例えば、コードブックインデックス０について、上記で、ＳＲＳ生成コンポーネント２０８は、ＤＭ−ＲＳをさらにプレコードするために下記と同様なコンプリメンタリプレコーダ拡張を指定または生成することができ：
【数４】
2013534070.tif 000007
【００４７】
デバイス２０２の実質的にすべての利用可能なアンテナポート上で異なる基準信号をサウンディングすることを容易にする。下位ランクのプレコーダが、例えば、プレコーディングコンポーネント２１２（例えば、ＬＴＥリリース８において）によって使用可能な上位ランクのプレコーダのサブセットにある場合、ＳＲＳ生成コンポーネント２０８は、コンプリメンタリプレコーダ拡張としてプレコーディングコンポーネント２１２に対して下位ランクのプレコーダを示すことができる。他の例では、ＳＲＳ生成コンポーネント２０８は、プレコーディングコンポーネント２１２にプレコーダ拡張行列を指定することができる。プレコーディングコンポーネント２１２は、この例では、ＭＩＭＯ通信コンポーネント２０６によってアンテナポートにわたって送信するように信号を生成するために、送信レイヤにプレコーダ拡張とプレコーダを適用することができる。
【００４８】
他のランク送信のために定義されたプレコーダがある可能性があり、ＳＲＳ生成コンポーネント２０８は、プレコーダにしたがってＳＲＳ（例えば、プレコーダ拡張または別のもの）を生成することができる。一例では、下記のコードブックは、４つのアンテナにわたるランク２送信のプレコーダを表すことができる。
【表２】
2013534070.tif 000008
【００４９】
したがって、例えば、コードブックインデックス１４の場合、下記のコンプリメンタリプレコーダ拡張は、データのＤＭ−ＲＳプレコーダが個々のアンテナポートのいずれからの異なるプレコードされていない信号の送信を許可しないので、アンテナポートにわたってＳＲＳを送信するためのＳＲＳ生成コンポーネント２０８によって定義および／または指定されることができる：
【数５】
2013534070.tif 000009
【００５０】
さらに、別の例では、下記のコードブックはデバイス２０２で２つの送信アンテナのために使用されることができる。
【表３】
2013534070.tif 000010
【００５１】
説明されるように、２つのレイヤ（ランク２）の場合、双方のアンテナポートは異なる信号を送信するために使用されるので、プレコーダ拡張は必要とされない。しかしながら、ランク１プレコーダの場合、ＳＲＳ生成コンポーネント２０８は、上述されるように、ＳＲＳおよび／またはプレコーダ拡張を生成することができる。一例では、結果として生じるランク１プレコーダ拡張は、下記の表のものと類似であることができる。
【表４】
2013534070.tif 000011
【００５２】
一例では、ＳＲＳ生成コンポーネント２０８は、時間、１つまたは複数のトリガ、イベント、および／または同様なものに周期的に基づいて、それを行うためにアクセスポイント２０４からインジケータまたはリクエストを受信することに少なくとも部分的に基づいて（例えば、プレコーダ拡張を提供することまたは別の方法によって）、ＳＲＳを生成することができる。例えば、プレコーダ決定コンポーネント２２０は、プレコーダ仕様、リソースグラント、および／または同様なもので示すことによって（例えば、ビットインジケータまたは同様なパラメータを使用して）少なくとも部分的にすべての利用可能なアンテナをサウンディングすることをデバイス２０２にリクエストすることができる。一例では、プレコーダ決定コンポーネント２２０は、デバイス２０２に対して、ＳＲＳのためのプレコーダまたはアンテナポート選択、サイクリックシフトマッピングに対するプレコーダ、および／または同様なもののようなリクエストにおけるさらなるパラメータを（例えば、シグナリングを通じて）指定することができる。ＳＲＳ生成コンポーネント２０８は、ＳＲＳを生成すること、ＳＲＳを生成するためのプレコーダ拡張を決定すること等においてこのようなパラメータを受信し使用することができる。
【００５３】
別の例では、ＳＲＳ生成コンポーネント２０８は、時間を決定することができ、その時間にＳＲＳを生成することができ、そしてそれは、前の時間（例えば、５分毎）に基づくことができる。さらに別の例では、ＳＲＳ生成コンポーネント２０８は、フレームインターバルにおいて（例えば、５０フレーム毎に）ＳＲＳを生成することができ、したがって、フレーム数等に少なくとも部分的に基づいて実質的にすべてのアンテナポートのためのＳＲＳを生成することができ、パラメータは、プレコーダ決定コンポーネント２２０から受信されることができる。別の例では、プレコーダ決定コンポーネント２２０は、デバイス２０２が少なくとも時間期間にわたって、実質的にすべての利用可能なアンテナポートから異なる信号を送信することを可能にするプレコーダを指定することができる。例えば、上記のランク１コードブックでは、プレコーダ決定コンポーネント２２０は、デバイス２０２が第１サブフレームにおいてプレコーダ１６および１７を使用し、第２サブフレームにおいてプレコーダ２０および２１を使用するので、実質的にすべての利用可能なアンテナポートが２つのサブフレーム間で異なるＤＭ−ＲＳを送信する、ということを指定することができる。さらに、一例では、プレコーダ決定コンポーネント２２０は、１つまたは複数のプレコーダを使用するための周期性、プレコーダマッピングに対するサブフレーム、および／または同様なもの、のようなＳＲＳを生成するときに関連するデバイス２０２への１つまたは複数のパラメータを通信することができる。ＳＲＳ生成コンポーネント２０８は、１つまたは複数のパラメータに少なくとも部分的に基づいてＳＲＳを生成することができる。
【００５４】
さらに別の例では、ＳＲＳ生成コンポーネント２０８は、ＳＲＳを送信することに使用するために１つまたは複数の電力オフセットを指定することができ、ＭＩＭＯ通信コンポーネント２０６は、オフセットを適用することができる。一例では、プレコーダ決定コンポーネント２２０は、（例えば、プレコーダ間の）電力オフセットを示すことができ、ＳＲＳ生成コンポーネント２０８は、電力オフセットにしたがってＳＲＳの絶対電力値および／またはオフセットを指定することができる。
【００５５】
一例では、ＭＩＭＯ通信コンポーネント２１４がＤＭ−ＲＳのような他の信号内でデバイス２０２からＳＲＳを受信すると、プレコーディング除去コンポーネント２１６は、デバイス２０２のアンテナポートに対応するチャネルの行列を決定するために信号から取り除くためのプレコーダを決定することができる。一例では、Ｐはプレコーダであり、Ｐは、大きさＮＴＸ×ＮＴＸを有し、ＮＴＸは、デバイス２０２におけるＴｘアンテナポートの数である。Ｐの各列は、サウンディングＤＭ−ＲＳプレコーディングベクトルに対応することができ、Ｐの各行は、Ｔｘアンテナポートに対応する。Ｐの列のサブセットは、データ送信に対応するＤＭ−ＲＳのために使用されうる。受信された信号ｙは、ｙ＝Ｈ・Ｐと書かれることができ、Ｈは、１×ＮＴＸチャネル行列である。この例では、ｙとＨの両方は、少なくとも、各受信アンテナ上で個々にサウンディングが測定されることができるので、アクセスポイント２０４にて単一受信アンテナに対応することができる。さらに、ｙは、１×ＮＴＸベクトルであり、各要素は、ＳＲＳ送信に使用される各ＤＭ−ＲＳサイクリックシフトの相関結果を表すことができる。チャネル行列Ｈは、プレコーダＰが可逆となるように選ばれるかぎり、Ｈ＝ｙ・Ｐ−１と決定されることができる。プレコーダＰが正規直交行列である場合には、チャネル行列Ｈは、Ｈ＝ｙ・Ｐ−１＝ｙ・ＰＨとして計算されることができる。チャネル状態決定コンポーネント２１８は、行列Ｈのチャネルの状態を評価することができ、プレコーダ決定コンポーネント２２０は、チャネル状態に少なくとも部分的に基づいて、説明されているように、デバイス２０２との後続通信のために、プレコーダを決定することができる。さらに、プレコーディング除去コンポーネント２１６はまた、雑音推定が使用されていないサイクリックシフトに基づいている場合には雑音推定におけるサウンディングＤＭ−ＲＳ信号の存在を検討することができる、ということが理解されるべきである。また、プレコーディング除去コンポーネント２１６は、ＭＵ−ＭＩＭＯ ＵＬスケジューリングの場合に、サウンディングＤＭ−ＲＳ信号の存在を検討することができる。
【００５６】
さらに、ＤＭ−ＲＳは、低ピーク対平均電力比および類似している低キュービックメトリック（ＣＭ）を有するように定義され、低ＣＭプロパティは、デバイス２０２の各アンテナポートが複数のサイクリックシフト上で信号を送信するとき、妨害されうる(violated)。上述されるように、ＳＲＳ生成コンポーネント２０８は、プレコーダ毎に異なる送信電力を指定することができる。相対的な電力低減の後で、送信されたプレコーダのセットはもはや真に直交でない可能性があり、プレコーディング除去コンポーネント２１６は、チャネルを推定するための調整を適用することができる。このことは、例えば、次のように実行されることができる。Ｐは、説明されているように、大きさＮＴＸ×ＮＴＸを有するプレコーダであることができ、ＮＴＸは、Ｔｘアンテナの数である。ＷがＮＴＸ×ＮＴＸ対角線重み付け行列であると仮定すると、対角線の要素は、異なるＤＭ−ＲＳサイクリックシフトの相対的な電力重み係数である。プレコーディング除去コンポーネント２１６は、ｙ＝Ｈ・Ｐ・Ｗ１／２として受信信号を計算することができ、Ｈは、１×ＮＴＸチャネル行列である。ｙおよびＨの両方は、説明されるように、アクセスポイント２０４における単一受信アンテナに対応することができる。ｙは１×ＮＴＸベクトルであることができ、各要素は、サウンディングに使用される各Ｄｍ−ＲＳサイクリックシフトの相関結果を表す。プレコーディング除去コンポーネント２１６は、未知のチャネル行列Ｈの最小平均二乗誤差（ＭＭＳＥ）を
【数６】
2013534070.tif 000012
【００５７】
として決定することができ、Ｎは、ＤＭ−ＲＳ観察値の雑音の共分散のＮＴＸ×ＮＴＸ行列である。適切なサイクリックシフト分離を推定すると、Ｎは、一定の時間において、ＮＴＸ×ＮＴＸ識別行列であることができる。
【００５８】
図３を参照すると、異なるデバイスに割り当てられた通信リソースにわたって１つまたは複数のアンテナポートのためのＳＲＳを通信することを容易にする例示的な無線通信システム３００が図示されている。システム３００は、（例えば、無線ネットワークへのアクセスまたは別のものを受信するために）アクセスポイント３０４と通信することができるデバイス３０２を含めることができる。さらに、システム３００は、アクセスポイント３０４と通信する別のデバイス３０６を含む。一例では、デバイス３０２および３０６が各々、ＵＥ、モデム（または他のテザードデバイス（tethered device））、その一部、および/または同様なものであることができ、アクセスポイント３０４は、説明されているように、マクロセル、フェムトセル、ピコセル、または同様なアクセスポイント、その一部等であることができる。さらに、デバイス３０２および／または３０６は、説明されているように、アクセスポイント３０４と通信するためにマルチプルアンテナポートを使用することができる。
【００５９】
デバイス３０２は、１つまたは複数のアンテナポートを使用して（例えば、並列または別の方法で）複数の送信レイヤにわたって信号を通信するためのＭＩＭＯ通信コンポーネント２０６、ＳＲＳを送信する別のデバイスに割り当てられたリソースの表示を取得するための共有リソース表示受信コンポーネント３０８と、１つまたは複数の利用可能なアンテナポートにわたって送信するためにＳＲＳを生成するためのＳＲＳ生成コンポーネント２０８と、を備えることができる。デバイス３０２は、デバイス３０２のアンテナポートに関連するチャネルのキャパシティを改善するために、ＳＲＳに受信プレコーディングを適用するためのプレコーディングコンポーネント２１２をオプションで備えることができる。
【００６０】
アクセスポイント３０４は、１つまたは複数のアンテナにわたってデバイスからＭＩＭＯ通信（例えば、複数の送信レイヤにわたる信号）を受信するためのＭＩＭＯ通信コンポーネント２１４と、ＭＩＭＯ通信でプレコードされた信号を決定するためのオプションのプレコーディング除去コンポーネント２１６とを備えることができる。アクセスポイント３０４はまた、ＳＲＳおよび／またはＤＭ−ＲＳが受信されるチャネルの状態を評価するためのチャネル状態決定コンポーネント２１８、および／または、チャネルのキャパシティを改善するためにデバイスから後続通信のためにプレコーダを選択するためのプレコーダ決定コンポーネント２２０、をオプションで備えることができる。さらに、アクセスポイント３０４は、デバイスはＳＲＳを送信することができるリソースを指定するための共有リソース表示コンポーネント３１０を備えることができる。
【００６１】
デバイス３０６は、別のデバイスがＳＲＳを送信することができるリソースの表示を取得するための共有リソース表示受信コンポーネント３１２と、アクセスポイントに送信するための１つまたは複数のＤＭ−ＲＳを生成するためのオプションのＤＭ−ＲＳ生成コンポーネント３１４とを備えることができる。
【００６２】
一例によれば、ＭＩＭＯ通信コンポーネント２０６は、アクセスポイント３０４に、マルチプルアンテナポートを使用して複数のレイヤにわたって信号を送信することができる。ＭＩＭＯ通信コンポーネント２１４は、１つまたは複数のアンテナにわたって信号を受信することができ、複数のレイヤの各々を処理することができる。例えば、ＭＩＭＯ通信コンポーネント２０６は、マルチプルアンテナポートの各々に対応するＭＩＭＯ通信コンポーネント２１４でチャネルを確立することができる。さらに、説明されるように、ＭＩＭＯ通信コンポーネント２０６は異なるランクの送信を可能にすることができ、ここにおいて、ランクは、送信レイヤの数に対応することができる。前に説明されるように、ＭＩＭＯ通信コンポーネント２０６は、利用可能なアンテナポートの数より少ない送信レイヤの数を備える信号を送信することができ、チャネル状態決定コンポーネント２１８が実質的にすべての利用可能なアンテナポートの状態を決定することができないことをもたらす可能性がある。一例では、ＳＲＳ生成コンポーネント２０８は、他のデバイスによって使用されるリソースにわたる送信のためにＳＲＳを生成することができる（例えば、他のデバイスは全リソースを使用しない）。
【００６３】
一例では、プレコーダ決定コンポーネント２２０は、説明されるように、そのチャネル状態を決定するために、デバイス３０２からＳＲＳをリクエストすることを決定することができる。この例では、共有リソース表示コンポーネント３１０は、デバイス３０２からＳＲＳを受信するためのアクセスポイント３０４によって、デバイス３０６のような別のデバイスに割り当てられた１つ以上のリソースを決定することができる。例えば、デバイス３０６は、アクセスポイント３０４と通信するために１セットのリソースを使用することができる。一例では、ＤＭ−ＲＳ生成コンポーネント３１４は、説明されているように、シンボル期間にわたってアクセスポイント３０４に送信するために、１つまたは複数のＤＭ−ＲＳを生成することができる。アクセスポイント３０４は、リソースグラントにおいてデバイス３０６にシンボル期間を割り当てさせることができる。したがって、共有リソースインジケーティングコンポーネント３１０は、デバイス３０６のＤＭ−ＲＳのためのシンボル期間を決定することができ、シンボル期間中にＳＲＳを送信するためにデバイス３０２に関連リソースをシグナリングすることができる。さらに、例えば、共有リソースインジケーティングコンポーネント３１０は、リソースを選択するためのＤＭ−ＲＳのサイクリックシフトを決定する、および／または、デバイス３０２  ＳＲＳのためにそれと直交するサイクリックシフトを指定することができる。
【００６４】
この例では、共有リソース表示コンポーネント３１０は、シンボル期間、サイクリックシフト、周波数範囲、および／または同様なものをデバイス３０２に示すことができる。共有リソース表示受信コンポーネント３０８は、シンボル期間、サイクリックシフト、周波数範囲等を取得することができ、ＳＲＳ生成コンポーネント２０８はそれに応じて、ＳＲＳを生成することができる。例えば、ＳＲＳは、デバイス３０２の実質的にすべてのアンテナポート、その一部（例えば、信号が前に受信されていなかった、または、同様な信号が受信されていた等のアンテナポートに関連するプレコーダ決定コンポーネント２２０によって選択される一部）に対応することができる。ＭＩＭＯ通信コンポーネント２０６はアクセスポイント３０４へＳＲＳを送信することができる。さらに、共有リソース表示コンポーネント３１０は、デバイス３０６に共有リソースをシグナリングすることができ、共有リソース表示受信コンポーネント３１２は共有リソース表示を取得することができる。この点では、デバイス３０６は、共有リソースを使用することを回避することができる。いずれの場合も、ＭＩＭＯ通信コンポーネント２１４は、デバイス３０６からＤＭ−ＲＳとともに、デバイス３０２からＳＲＳを受信することができる。プレコーディング除去コンポーネント２１６は、説明されるように、受信された信号からプレコーダを除くことができ、チャネル状態決定コンポーネント２１８は、ＳＲＳに基づいてデバイス３０２でチャネル状態を評価することができる。一例では、プレコーダ決定コンポーネント２２０は、評価されたチャネル条件に少なくとも一部分基づいて後続通信のためにデバイス３０２に提供するために、プレコーダを決定することができる。
【００６５】
図４を参照すると、ＤＭ−ＲＳ送信を意図したリソースにわたってＳＲＳを通信することを容易にする方法４００が図示される。４０２で、ＤＭ−ＲＳを送信するために予約される少なくとも１つのリソースが決定されることができる。例えば、少なくとも１つのリソースは、ＤＭ−ＲＳによって使用されていないサイクリックシフトをＳＲＳに適用することに少なくとも部分的に基づいて決定されることができる。４０４で、ＳＲＳは少なくとも１つのリソースにわたって送信されることができる。ＳＲＳは、説明されるように、ＤＭ−ＲＳと多重化され、各利用可能なアンテナポート、各使用されていないアンテナポート、別のアンテナポートと同じ信号を通信する各アンテナポート、および／または同様なもの、について送信されることができる。さらに、この点では、複数のリソースは複数のＳＲＳを送信するために４０２で決定されることができる。さらに、このことは、送信レイヤの数が利用可能なアンテナポートの数より少ないときに適用することができる。実質的にすべての利用可能なアンテナポートからのサウンディングを保証することは、ここに説明されるように、そのチャネル状態を決定することを容易にする。
【００６６】
図５に戻ると、実質すべてのアンテナポートをサウンディングするためにプレコーダ拡張を適用するための方法５００が図示されている。５０２で、複数のアンテナポートにわたって１つまたは複数の送信レイヤを通信するために利用されたプレコーダが決定されることができる。説明されるように、アンテナポートの数は送信レイヤの数よりも大きく、プレコーダは、送信レイヤの数と等しいアンテナポートの数にわたって送信レイヤを送信することができ、したがって、少なくとも１つのアンテナポートを除き、または、１つまたは複数のアンテナポートにわたって同じ信号を送信することができる。５０４では、１つまたは複数のプレコーダ拡張がプレコーダに基づいて実質的にすべての利用可能なアンテナポートをサウンディングするために決定されることができる。例えば、プレコーダ拡張は、説明されているように、実質的にすべてのアンテナポート、使用されていないアンテナポート、別のアンテナポートと同様な信号を送信するアンテナポート、および／または同様なもの、にわたって信号をサウンディングすることを引き起こすことができる。さらに、１つまたは複数のプレコーダ拡張を決定することは、プレコーダに基づいてプレコーダ拡張を選択すること、プレコーダに基づいてプレコーダ拡張を生成すること、および／または、同様なものを含むことができる。さらに、１つまたは複数のプレコーダ拡張を決定することは、説明されるように１つまたは複数のアンテナポートをサウンディングするためにアクセスポイントから受信される表示、タイマ、トリガ、または他のイベント、および／または同様なもの、に少なくとも部分的に基づいて実行されることができる。５０６では、１つまたは複数のプレコーダ拡張は、マルチプルアンテナポートにわたって通信するために１つまたは複数の送信レイヤに適用されることができる。説明されるように、プレコーダ拡張は、一例では、プレコーダで適用されることができる。
【００６７】
図６を参照すると、実質すべてのアンテナポートをサウンディングするための方法６００が図示されている。６０２で、ＭＩＭＯ通信において異なるＤＭ−ＲＳを送信しない１つまたは複数のアンテナポートが決定されることができる。例えば、このことは、送信に使用されていない１つまたは複数のアンテナポートを決定すること、１つまたは複数の他のアンテナポートと同じ信号を送信する１つまたは複数のアンテナポートを決定すること、および／または同様なものを含むことができる。６０４で、ＳＲＳは、ＤＭ−ＲＳと、１つまたは複数のアンテナポートの各々について多重化されることができる。例えば、これはＳＲＳのためのＤＭ−ＲＳによって使用されていないサイクリックシフトを使用することを含むことができる。６０６で、ＳＲＳおよびＤＭ−ＲＳは、１つまたは複数のアンテナポートおよび追加のアンテナポートにわたって送信されることができる。説明されるように、１つまたは複数のアンテナポートは、実質的にすべてのアンテナポート等をサウンディングするためにアクセスポイントからリクエストを受信することに少なくとも部分的に基づいて、６０２で決定されることができる。
【００６８】
図７を参照して、アクセスポイントからの制御シグナリングに少なくとも部分的に基づいて１つまたは複数のＳＲＳを送信するための方法７００が図示されている。７０２では、制御シグナリングは、ＤＭ−ＲＳを使用して１つまたは複数のアンテナポートをシグナリングすることに関してアクセスポイントから受信されることができる。例えば、説明されるように、シグナリングは、実質的にすべてのアンテナポートをサウンディングするリクエスト（例えば、リソースグラントまたは別の方法でビットとして受信される）、使用するためのプレコーダおよび／またはプレコーダ拡張の表示、サウンディングするための１つまたは複数の明示的なアンテナポートの表示、サイクリックシフトマッピングに対するプレコーダ、異なるプレコーダの周期性、プレコーダマッピングに対するサブフレーム、プレコーダ間の電力オフセット等に関連することができる。７０４で、１つまたは複数のＳＲＳは制御シグナリングに少なくとも一部分基づいて生成されることができる。７０６で、１つまたは複数のＳＲＳは、１つまたは複数のアンテナポートにわたってＤＭ−ＲＳと送信されることができる。
【００６９】
図８を参照すると、方法８００は、デバイスのマルチプルアンテナポートにわたってサウンディングすることを要求するために図示されている。８０２で、マルチプルアンテナポートをサウンディングすることに関連する１つまたは複数のパラメータは、デバイスにシグナリングされることができる。例えば、１つまたは複数のパラメータは、説明されるように、サウンディングするためのプレコーダ（および／または１つまたは複数のプレコーダ拡張）またはアンテナポート選択、１つまたは複数のサイクリックシフトへのプレコーダのマッピング、プレコーダを使用するための周期性、一つ又は複数のサブフレームへのプレコーダのマッピング、または、プレコーダを使用する間の電力オフセット等を備えることができる。８０４で、信号は、マルチプルアンテナポートにわたってデバイスから受信されることができる。例えば、説明されているように、デバイスの各アンテナポートは、信号を同時に送信することができる。８０６で、信号に関連する１つまたは複数のチャネルは、信号からプレコーディングを除くことによって、少なくとも部分的に推定されることができる。一例では、プレコーディングは、上述されているプレコーダに関連することができる。
【００７０】
ここに説明される１つまたは複数の態様にしたがって、説明されるように、１つまたは複数の他のアンテナポートと同じ信号を送信するまたは使用されていないアンテナポートの数を決定すること、プレコーダに基づいて実質的にすべてのアンテナポートをサウンディングするためにプレコーダ拡張を生成すること、および／または同様なものについて推論されることができるということが理解されるであろう。ここで使用されるように、用語「推論する(infer)」または「推論(inference)」は、一般には、事象および／もしくはデータを介してキャプチャされた１セットの観測からシステム、環境、および／またはユーザ、の状態について推理あるいは推論するプロセスを指す。推論は、特定の文脈または動作を識別するために利用されることができる、または、例えば、状態に関する確率分布を生成することができる。推論は、確率的、すなわち、データおよび事象の考慮事項に基づく、対象の状態に関する確率分布の計算であることができる。推論はまた、事象／またはデータのセットからハイレベルの事象を構成するために用いられる技法を指すことができる。このような推論は、事象が密接な時間的近接性において相関してもしなくても、かつ事象およびデータが、１つの事象およびデータソースから生じようと、複数の事象およびデータソースから生じようと、結果として、観測された事象および／または格納された事象データのセットから、新しい事象または新しい動作の構築をもたらす。
【００７１】
図９を参照すると、実質すべての利用可能なアンテナポートをサウンディングすることを容易にするモバイルデバイス９００が図示されている。モバイルデバイス９００は、例えば、受信アンテナ（図示されず）から信号を受信し、受信された信号に典型的な動作を実行し（例えば、フィルタし、増幅し、ダウンコンバートし等）、サンプルを得るために調整された信号をデジタル化する受信機９０２を備える。受信機９０２は、受信シンボルを復調することができ、それらを、チャネル推定のために、プロセッサ９０６に供給することができる復調器９０４を備えることができる。プロセッサ９０６は、受信機９０２によって受信される情報を分析することおよび／または送信機９０８による送信のために情報を生成することを専用とするプロセッサ、モバイルデバイス９００の１つまたは複数のコンポーネントを制御するプロセッサ、および／または、受信機９０２によって受信される情報を分析すること、送信機９０８による送信のために情報を生成すること、モバイルデバイス９００の１つまたは複数のコンポーネントを制御すること、の両方を行うプロセッサ、であることができる。さらに、送信機９０８は複数のアンテナポートを備えたＭＩＭＯ送信機であることができる、および／または、ＭＩＭＯ通信コンポーネント９１２であることができる、または、含めることができる。
【００７２】
モバイルデバイス９００は、プロセッサ９０６に動作的に結合される、また、送信されるべきデータ、受信データ、利用可能なチャネルに関連する情報、分析信号および／または干渉強度に関連づけられるデータ、割り当てられるチャネル、電力、レート、または同様なものに関連する情報、およびチャネルを推定しチャネルを介して通信するためのいずれの他の適切な情報、を格納することができる、メモリ９１０を追加的に備えることができる。メモリ９１０は、チャネルを推定および／または利用することに関連づけられるプロトコルおよび／またはアルゴリズムを（例えば、性能ベース、キャパシティベース等で）追加的に格納することができる。
【００７３】
プロセッサ９０６はさらにオプションで、ＭＩＭＯ通信コンポーネント２０６と類似することができるＭＩＭＯ通信コンポーネント９１２、ＳＲＳ生成コンポーネント２０８に類似することができるＳＲＳ生成コンポーネント９１４、ＤＭ−ＲＳ生成コンポーネント２１０および／または３１４に類似することができるＤＭ−ＲＳ生成コンポーネント９１６、プレコーディングコンポーネント２１２に類似することができるプレコーディングコンポーネント９１８、および／または共有リソース表示受信コンポーネント３０８および／または３１２に類似することができる共有リソース表示受信コンポーネント９２０、に動作的に結合されることができる。モバイルデバイス９００は、例えば、基地局、別のモバイルデバイス等に、送信機９０８による送信のための信号を変調する変調器９２２をさらに備える。さらに、例えば、モバイルデバイス９００は、説明されるように、マルチプルネットワークインタフェースのための複数の送信機９０８を備えることができる。プロセッサ９０６とは異なるものとして説明されているが、ＭＩＭＯ通信コンポーネント９１２、ＳＲＳ生成コンポーネント９１４、ＤＭ−ＲＳ生成コンポーネント９１６、プレコーディングコンポーネント９１８、共有リソース表示受信コンポーネント９２０、復調器９０４、および／または変調器９２２は、プロセッサ９０６または複数のプロセッサ（図示されず）の一部であることができるということが理解されるべきである。
【００７４】
図１０を参照すると、無線通信を使用して１つまたは複数のデバイスと通信することを容易にするシステム１０００が図示されている。システム１０００は、基地局１００２を備え、そしてそれは、（例えば、説明されているように複数のネットワーク技術であることができる）複数の受信アンテナ１００６を通じて１つまたは複数のモバイルデバイス１００４から信号（１つまたは複数）を受信する受信機１０１０と、（例えば、説明されているように複数のネットワーク技術であることができる）複数の送信アンテナ１００８を通じて１つまたは複数のモバイルデバイス１００４に送信する送信機１０３０と、を有する実質的にはいずれの基地局（例えば、フェムトセル、ピコセル等のような小さい基地局等、移動基地局…）、リレー等であることができる。さらに、一例では、送信機１０３０は、有線フロントリンクにわたって、モバイルデバイス１００４に送信することができる。受信機１０１０は、１つまたは複数の受信アンテナ１００６から情報を受信することができ、受信された情報を復調する復調器１０１２と動作的に関連づけられる。さらに、一例では、受信機１０１０は有線バックホールリンクから受信することができる。復調されたシンボルは、図９に関して上述されたプロセッサと類似することができるプロセッサ１０１４によって分析され、プロセッサは、信号（例えば、パイロット）強度および／または干渉強度を推定することに関連する情報、モバイルデバイス（１つまたは複数）１００４（または異なる基地局（図示されず））から受信されるべきまたはそこに送信されるべきデータ、および／または、ここで記載される様々な動作および機能を実行することに関連するいずれの他の適切な情報、を格納するメモリ１０１６に結合される。
【００７５】
プロセッサ１０１４はさらにオプションで、ＭＩＭＯ通信コンポーネント２１４に類似することができるＭＩＭＯ通信コンポーネント１０１８、プレコーディング除去コンポーネント２１６に類似することができるプレコーディング除去コンポーネント１０２０、チャネル状態決定コンポーネント２１８に類似することができるチャネル状態決定コンポーネント１０２２、プレコーダ決定コンポーネント２２０に類似することができるプレコーダ決定コンポーネント１０２４、および／または、共有リソース表示コンポーネント３１０に類似することができる共有リソース表示コンポーネント１０２６、に結合される。
【００７６】
さらに、例えば、プロセッサ１０１４は、変調器１０２８を使用して送信されるべき信号を変調することができ、そして、送信機１０３０を使用して変調された信号を送信することができる。送信機１０３０は、Ｔｘアンテナ１００８にわたってモバイルデバイス１００４に信号を送信することができる。さらに、プロセッサ１０１４とは別なものとして図示されているが、ＭＩＭＯ通信コンポーネント１０１８、プレコーディング除去コンポーネント１０２０、チャネル状態決定コンポーネント１０２２、プレコーダ決定コンポーネント１０２４、共有リソース表示コンポーネント１０２６、復調器１０１２、および／または変調器１０２８は、プロセッサ１０１４または複数のプロセッサ（図示されず）の一部であることができる、および／または、プロセッサ１０１４による実行のためにメモリ１０１６に命令として格納されることができる、ということが理解されるべきである。
【００７７】
図１１を参照すると、無線通信システム１１００が図示されている。無線通信システム１１００は、明瞭さおよび簡潔のために、１つの基地局１１１０と１つのモバイルデバイス１１５０を図示する。しかしながら、システム１１００は、１より多い基地局および／または１より多いモバイルデバイスを含むことができ、追加の基地局および／またはモバイルデバイスは、下記で説明されているように例示的な基地局１１１０とモバイルデバイス１１５０と実質的に同じまたは異なることができる。さらに、基地局１１１０および／またはモバイルデバイス１１５０は、それらの間の無線通信を容易にするためにここで説明される、システム（図１−３および１０）、方法（図４−８）、および／またはモバイルデバイス（図９）を利用することができる、ということが理解されるべきである。例えば、ここで説明されるシステムおよび／または方法のコンポーネントまたは機能は、後述されるメモリ１１３２および／または１１７２、または、プロセッサ１１３０および／または１１７０の一部であることができる、および／または、開示された機能を実行するためにプロセッサ１１３０および／または１１７０によって実行されることができる。
【００７８】
基地局１１１０では、複数のデータストリームのためのトラヒックデータはデータソース１１１２から送信（ＴＸ）データプロセッサ１１１４へと提供される。一例によると、各データストリームは、それぞれのアンテナにわたって送信されることができる。ＴＸデータプロセッサ１１１４は、符号化されたデータを提供するためにそのデータストリームについて選択された特定の符号化スキームに基づいて、トラヒックデータストリームをフォーマットし、符号化し、そしてインタリーブする。
【００７９】
各データストリームのための符号化されたデータは、ＯＦＤＭ技法を使用して、パイロットデータと多重化されることができる。追加的に、あるいは、代替的に、パイロットシンボルは、周波数多重化（ＦＤＭ）、時分割多重化（ＴＤＭ）、あるいは符号分割多重化（ＣＤＭ）されうる。パイロットデータは、既知の方法で処理される、一般的には既知データパターンであり、チャネル応答を推定するためにモバイルデバイス１１５０において使用されることができる。各データストリームのための多重化されたパイロットおよび符号化されたデータは、変調シンボルを提供するためにそのデータストリームについて選択される特定の変調スキーム（例えば、２相シフトキーイング（ＢＰＳＫ）、４相シフトキーイング（ＱＰＳＫ）、Ｍ相シフトキーイング（Ｍ−ＰＳＫ）、Ｍ直交振幅変調（Ｍ−ＱＡＭ）等）に基づいて変調される（例えば、シンボルマッピングされる）ことができる。各データストリームのデータレート、符号化および変調は、プロセッサ１１３０によって、実行または提供される命令によって決定されることができる。
【００８０】
データストリームのための変調シンボルは、ＴＸ  ＭＩＭＯプロセッサ１１２０へ提供されることができ、変調シンボル（例えば、ＯＦＤＭ用）をさらに処理することができる。ＴＸ ＭＩＭＯプロセッサ１１２０はそのあとで、ＮＴ個の変調シンボルストリームを、ＮＴ個の送信機（ＴＭＴＲ）１１２２ａ〜１１２２ｔへ提供する。様々な実施形態では、ＴＸ ＭＩＭＯプロセッサ１１２０は、データストリームのシンボルに対して、そしてシンボルが送信されているアンテナに対して、ビームフォーミング重み付けを適用する。
【００８１】
各送信機１１２２は、１つまたは複数のアナログ信号を提供するためにそれぞれのシンボルストリームを受信し処理し、ＭＩＭＯチャネル上の送信に適した変調信号を提供するためにアナログ信号をさらに調整する（例えば、増幅し、フィルタし、そしてアップコンバートする）。さらに、送信機１１２２ａ〜１１２２ｔからのＮＴ変調信号は、ＮＴアンテナ１１２４ａ〜１１２４ｔからそれぞれ送信される。
【００８２】
モバイルデバイス１１５０では、送信された変調信号は、ＮＲアンテナ１１５２ａ〜１１５２ｒによって受信され、各アンテナ１１５２からの受信信号は、それぞれの受信機（ＲＣＶＲ）１１５４ａ〜１１５４ｒに提供される。各受信機１１５４は、それぞれの信号を調整し（例えば、フィルタし、増幅し、ダウンコンバートし）、サンプルを提供するためにその調整された信号をデジタル化し、対応する「受信された」シンボルストリームを提供するためにサンプルをさらに処理する。
【００８３】
ＲＸデータプロセッサ１１６０は、ＮＴ「検出された」シンボルストリームを提供するために、特定の受信機処理技術に基づいて、ＮＲ受信機１１５４からＮＲ受信シンボルストリームを受信し処理することができる。ＲＸデータプロセッサ１１６０は、データストリームのためのトラヒックデータを復元するために、各検出されたシンボルストリームを復調し、デインタリーブし、復号することができる。ＲＸデータプロセッサ１１６０による処理は、基地局１１１０において、ＴＸ ＭＩＭＯプロセッサ１１２０とＴＸデータプロセッサ１１１４によって実行されるものの補足である。
【００８４】
逆方向リンクメッセージは、通信リンクおよび／または受信されたデータストリームに関する様々なタイプの情報を備えることができる。逆方向リンクメッセージは、データソース１１３６から複数のデータストリームのためのトラヒックデータも受信するＴＸデータプロセッサ１１３８によって処理され、変調器１１８０によって変調され、送信機１１５４ａ〜１１５４ｒによって調整され、そして、基地局１１１０に送信されることができる。
【００８５】
基地局１１１０では、モバイルデバイス１１５０からの変調信号は、モバイルデバイス１１５０によって送信される逆方向リンクメッセージを抽出するために、アンテナ１１２４によって受信され、受信機１１２２によって調整され、復調器１１４０によって復調され、ＲＸデータプロセッサ１１４２によって処理される。さらに、プロセッサ１１３０は、ビームフォーミング重みを決定するためにどのプレコーディングマトリックスを使用するかを決定するために、抽出されたメッセージを処理することができる。
【００８６】
プロセッサ１１３０および１１７０は、それぞれ基地局１１１０とモバイルデバイス１１５０において、動作を命令することができる（例えば、制御する、適合させる、管理する等)。それぞれのプロセッサ１１３０および１１７０は、プログラムコードおよびデータを保存するメモリ１１３２および１１７２と関連づけられることができる。プロセッサ１１３０および１１７０はまた、それぞれ、アップリンクとダウンリンクのための周波数およびインパルス応答推定値を導出するために計算を実行することができる。
【００８７】
ここで説明されるように、復調基準信号（ＤＭ−ＲＳ）送信または他の信号を対象としたリソースは、チャネル状態を決定することを容易にするために、サウンディング基準信号（ＳＲＳ）を通信するために使用されることができる。例えば、リソースは、無線ネットワーク仕様において信号のために予約される時間および／または周波数リソース（例えば、周波数範囲、直交周波数分割多重化（ＯＦＤＭ）シンボル期間、等）に関連することができる。例えば、ＤＭ−ＲＳリソースは、ＳＲＳを通信するデバイスまたは異なるデバイスに関することができる。さらに、ＳＲＳは、デバイスで使用されることができるすべてのアンテナポート、異なるプレコードされたＤＭ−ＲＳがＤＭ−ＲＳリソース上で送信されないアンテナポートのサブセット、および／または、同様なもの、についてＤＭ−ＲＳリソース上で送信されることができる。さらに、ＳＲＳは、（例えば、ＤＭ−ＲＳに使用されるサイクリックシフト直交カバー符号（ＯＣＣ）とはさらに異なることがある、ＳＲＳ毎に異なるサイクリックシフトまたは直交カバー符号（ＯＣＣ）を使用することによって）ＤＭ−ＲＳリソースにわたって直交して送信されることができる。この点で、ＳＲＳの受信機は、（例えば、対応するＳＲＳまたはＤＭ−ＲＳからに関わらず）アンテナポートの各々にわたってチャネル状態を決定することができる。一例では、受信機は、それに応じて、後続送信で使用するためにＳＲＳおよび／またはＤＭ−ＲＳを送信するデバイスのためにプレコーダを選択することができる。
【００８８】
ここで開示された実施形態に関連して説明された様々な説明のための論理、論理ブロック、モジュール、コンポーネントおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、で実装または実行されうる。汎用プロセッサは、マイクロプロセッサであってもよいが、代替として、プロセッサは、いずれの従来のプロセッサ、コントローラ、マイクロコントローラ、あるいはステートマシン(state machine)でありうる。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、として実装されうる。さらに、少なくとも１つのプロセッサは、上記で説明されたステップおよび／または動作のうちの１つまたは複数を実行することが動作可能な１つまたは複数のモジュールを備えることができる。例示的な記憶媒体は、プロセッサに結合されうるので、プロセッサが記憶媒体から情報を読み取ることができ、また記憶媒体に情報を書き込むことができる。あるいは、記憶媒体は、プロセッサに一体化されうる。さらに、いくつかの態様では、プロセッサと記憶媒体は、ＡＳＩＣにおいて存在しうる。
【００８９】
１つまたは複数の態様では、説明された機能、方法またはアルゴリズムは、ハードウェア、ソフトウェア、ファームウェアあるいはそれらのいずれかの組み合わせで実装されうる。ソフトウェアで実装される場合には、機能は、コンピュータプログラムプロダクトに組み込まれうるコンピュータ可読媒体上で、１つまたは複数の命令あるいはコードとして格納または送信されうる。コンピュータ可読媒体は、１つの場所から別の場所へのコンピュータプログラムの移送を容易にするいずれの媒体も含んでいる、コンピュータ記憶媒体と通信媒体の両方を含む。記憶媒体は、コンピュータによってアクセスされることができる、任意の利用可能な媒体でありうる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形態で所望のプログラムコードを格納または搬送するために使用されることができる、また、コンピュータによってアクセスされることができる、任意の他の媒体も備えることができる。ここに使用されるように、ディスク(disk)とディスク(disk)は、コンパクトディスク(compact disc)（ＣＤ）、レーザーディスク(登録商標)(laser disc)、光学ディスク(optical disc)、デジタル汎用ディスク(digital versatile disc)（ＤＶＤ）、フロッピー（登録商標）ディスク(disk)およびブルーレイディスク(blu-ray disc)を含んでおり、ディスク(disks)は、大抵、データを磁気的に再生し、ディスク(discs)は、レーザーで光学的に再生する。上記のものの組み合わせも、コンピュータ可読媒体の範囲内に含まれるべきである。
【００９０】
以上の開示は、説明の態様および／または実施形態を説明しているが、様々な変更および修正が、添付された特許請求項の範囲によって定義されるような、記載された態様および／または実施形態の範囲から逸脱することなく、ここにおいてなされることができるであろうということに留意されるべきである。さらに、説明された態様および／または実施形態の構成要素は、単数形で説明あるいは特許請求されているかもしれないが、単数形への限定が明示的に述べられていない限り、複数形が意図されている。さらに、いずれの態様および／または実施形態のすべてあるいは一部は、述べられていない限り、いずれの他の態様および／または実施形態のすべてあるいは一部を用いて、利用されうる。
【図１】
2013534070.tif 000013
【図２】
2013534070.tif 000014
【図３】
2013534070.tif 000015
【図４】
2013534070.tif 000016
【図５】
2013534070.tif 000017
【図６】
2013534070.tif 000018
【図７】
2013534070.tif 000019
【図８】
2013534070.tif 000020
【図９】
2013534070.tif 000021
【図１０】
2013534070.tif 000022
【図１１】
2013534070.tif 000023
【国際調査報告】
2013534070.tif 000024
2013534070.tif 000025
2013534070.tif 000026
2013534070.tif 000027